(57)【特許請求の範囲】
【請求項１】
帽体を形成して該帽体内に注射針の先端部を収容した前方部分と、基部を形成して該基部に前記注射針の基端部を係合保持した尾端部分とを有する単一の合成樹脂成形片からなり、これら前方部分と尾端部分は手操作を加えることによって帽体が傾動して注射針を露呈させると共に前記手操作を解除したのちには帽体が元の防護姿勢に自分で復帰するように可撓性の折り曲げ線を形成する薄肉部分を介して互いに蝶番状に枢動可能とされている皮下注射針プロテクターにおいて、前記帽体が注射針に沿って延在する領域で互いに斜面状に邂逅すると共に該注射針の先端部を内包する二つの壁部で構成され、該帽体の横断面形状は帽体先端に近づくほど開き角度の減少する略Ｖ字状断面とされており、また前記基部は前記注射針の基端部を係合保持する中央ハブと該中央ハブの両側に蝶番状に枢動可能に形成された二つの翼片とによって構成され、これら二つの翼片は前記薄肉部分を介して帽体の二つの壁部にそれぞれ延長面状に連なり、二つの翼片に手操作を加えてこれら翼片を中央ハブ上で帽体の背側へ枢動させると帽体が前記薄肉部分で後背部へ向けて反転傾動して前記注射針の先端部を露呈させ、前記手操作を解除すると各翼片及び帽体が元の状態に復帰するように構成されていることを特徴とする皮下注射針プロテクター。
【請求項２】
中央ハブの主要部が各翼片よりも突出していることを特徴とする請求項１に記載の皮下注射針プロテクター。
【請求項３】
基部の各翼片と帽体の各壁部が可撓性であることを特徴とする請求項１又は２に記載の皮下注射針プロテクター。
【請求項４】
帽体の各壁部が翼片よりも薄肉であることを特徴とする請求項１〜３のいずれか１項に記載の皮下注射針プロテクター。
【請求項５】
中央ハブが注射針の基端部を貫通保持していることを特徴とする請求項１〜４のいずれか１項３に記載の皮下注射針プロテクター。
【請求項６】
薄肉部分と中央ハブとでほぼＹ字状の断面形状を形成していることを特徴とする請求項１〜５のいずれか１項に記載の皮下注射針プロテクター。
【発明の詳細な説明】
【０００１】
【発明の属する技術分野】
本発明は皮下注射針プロテクターに関し、特別には頭蓋皮下注射針用の皮下注射針プロテクターに関するものである。
【０００２】
【従来の技術】
単一の合成樹脂成形片で構成された皮下注射針用のプロテクターは知られており、その成形片は、例えば米国特許第５６９３０２２号明細書に述べられているように、注射針の先端部を収容する帽体を形成する前方部分と、該注射針の基端部を係合保持する基部を形成する尾端部分とを有し、これら前方部分と尾端部分は、手操作を加えることによって帽体が傾動して注射針を露呈させると共に前記手操作を解除したのちには帽体が元の防護姿勢に自分で復帰するように可撓性の折り曲げ線を形成する薄肉部分を介して互いに蝶番状に枢動可能である。
【０００３】
このタイプのプロテクターは、従来の復帰スプリングを必要とするものに比べると帽体を変位させていた操作力が消失した後に帽体が自身で防護姿勢に復帰すると言う利点を有している。
【０００４】
これは、不測の穿刺事故に対して低コストで良好な安全性を与えている。
【０００５】
【発明が解決しようとする課題】
上記米国特許明細書に述べられている実施例では、プロテクターはその帽体形成部分に摘み指片を有しており、帽体を傾動させるためには使用者はこの指片を操作しなければならない。
【０００６】
従って使用者は、注射針を露呈するために帽体の指片を操作しながら注射針を扱うためにプロテクターの基部を保持すると言う二つの操作を同時に行わなければならない。
【０００７】
本発明の主な課題は、このような難点を解消して片手の単純な単一操作で容易に取り扱うことのできる皮下注射針プロテクターを提供することにある。
【０００８】
【課題を解決するための手段】
本発明によれば、上述の課題は、前記基部を、該基部に手操作が加えられたときに基部自体が帽体の傾動を生起するように構成することによって解決される。
【０００９】
即ち、本発明による皮下注射プロテクターは、帽体を形成して該帽体内に注射針の先端部を収容した前方部分と、基部を形成して該基部に前記注射針の基端部を係合保持した尾端部分とを有する単一の合成樹脂成形片からなり、これら前方部分と尾端部分は手操作を加えることによって帽体が傾動して注射針を露呈させると共に前記手操作を解除したのちには帽体が元の防護姿勢に自分で復帰するように可撓性の折り曲げ線を形成する薄肉部分を介して互いに蝶番状に枢動可能とされている。特に本発明による皮下注射用プロテクターでは、前述の課題を解決するために、前記帽体が注射針に沿って延在する領域で互いに斜面状に邂逅すると共に該注射針の先端部を内包する二つの壁部で構成され、該帽体の横断面形状は帽体先端に近づくほど開き角度の減少する略Ｖ字状断面とされており、また前記基部は前記注射針の基端部を係合保持する中央ハブと該中央ハブの両側に蝶番状に枢動可能に形成された二つの翼片とによって構成され、これら二つの翼片は前記薄肉部分を介して帽体の二つの壁部にそれぞれ延長面状に連なり、二つの翼片に手操作を加えてこれら翼片を中央ハブ上で帽体の背側へ枢動させると帽体が前記薄肉部分で後背部へ向けて反転傾動して前記注射針の先端部を露呈させ、前記手操作を解除すると各翼片及び帽体が元の状態に復帰するように構成されている。
【００１０】
この場合、一対の翼片に手操作を加えてこれら翼片を中央ハブ上で帽体の背側へ枢動させると帽体が前記薄肉部分で後背部へ向けて反転傾動して前記注射針の先端部を露呈させ、前記手操作を解除すると各翼片及び帽体が元の状態に復帰する。
【００１１】
この操作は、使用者が片手でプロテクターを保持したまま同時に同じ手の指で帽体を傾動させる単純な単一操作で果たすことができる。
【００１２】
【発明の実施の形態】
本発明の上述及びそれ以外の特徴と利点は添付図面を参照した以下の好適な実施形態の説明から明らかである。
【００１３】
図示の実施例によるプロテクターは帽体１を備えており、この帽体は注射針３に沿って延在する領域２で互いに斜面状に邂逅すると共に該注射針の先端部３ａを内包する二つの壁部１ａ，１ｂで構成され、これによって帽体に特に図４に示すような略Ｖ字状の横断面形状、即ち帽体先端に近づくほど開き角度が小さくなる略Ｖ字状断面形状を与えている。
【００１４】
このプロテクターはまた基部４も備えており、この基部は注射針の基端部３ｂを係合保持する中央ハブ４ｃと、該中央ハブの両側に蝶番状に枢動可能に形成された二つの翼片４ａ，４ｂとによって構成され、これら二つの翼片はそれぞれ薄肉部分５ａ，５ｂを介して帽体の二つの壁部１ａ，１ｂにそれぞれ延長面状に連なっている。
【００１５】
両翼片は、同様に薄肉部で形成された両側のヒンジ部５ｃ、５ｄによって中央ハブに対して蝶番状に枢動可能である。
【００１６】
中央ハブ４ｃの主要部は、特に図３に示すように翼片４ａ，４ｂから突出していることが好ましい。
【００１７】
また、帽体の両壁部と両翼片は好ましくは可撓性薄肉壁部として損傷を受けにくくすると良い。
【００１８】
更に注射針の基端部は、中央ハブに貫通させて注射液導入用のコネクター６に接続することが好ましい。
【００１９】
更にまた両翼片の肉厚は好ましくは帽体の壁部の厚さより厚くする。
【００２０】
図示の実施例において、薄肉部分５ａ，５ｂは中央ハブ４ｃと略Ｙ字状の横断面形状をなしている。
【００２１】
使用に際して、このプロテクターは先ず図６に示すように注射針が帽体の内側に位置して針先端の面取り部分が視認できる状態で取り扱われる。
【００２２】
即ち使用者は親指Ｐと中指Ｍで両側の翼片の縁部を保持し、人指し指Ｉで中央ハブを上から押し込んで翼片を帽体の背側へ枢動させると、両翼片が図４に示したように上向きに拡開反転するので、帽体は矢印で示すように両側で上向きに拡開反転して起き上り、更に後背部へ向けて傾動して図５に示すように帽体３の内側に隠されていた注射針３の先端側部分を露呈させる。
【００２３】
図７に示すように、注射針が露呈されて使用可能となっている状態では、使用者は反転したプロテクターを親指と中指の間に保持しており、これらの指で基部の二つの翼片を挟み付けている。
【００２４】
穿刺の後、注射針をそのまま穿刺位置に留めておく必要がある場合、両翼片は従来と同様に粘着テープで患者に固定可能である。
【００２５】
両翼片は表皮Ｐ上で平らになっているが、注射針を抜き取るのにこれら両翼片を起こす必要はなく、図９に示すように帽体を摘んで抜き取れば直ちに注射針は帽体内の防護位置に自動復帰する。
【００２６】
尚、以上に述べた実施例は本発明の典型的な実施の形態を示すだけのものであり、これ以外の当業者に自明な変形は本発明の技術的範疇に属するものと理解すべきである。
【００２７】
【発明の効果】
以上に述べたように、本発明による皮下注射針プロテクターでは、尾端部分の基部に手操作を加えたときに基部自体が前方部分の帽体の傾動を生起するように構成してあるので、使用者が片手でプロテクターの基部を保持したまま同時に同じ手の指による単純な単一操作で帽体を傾動させることができ、従来のように使用者に二つ操作を同時に強いる操作上の難点を解消できる効果がある。
【図面の簡単な説明】
【図１】本発明の一実施例に係る皮下注射針プロテクターを防護姿勢にある状態で示す底面図である。
【図２】図１のプロテクターの注射針を含む断面で示す縦断面図である。
【図３】図１のプロテクターを注射針に直交する面で示した背面図である。
【図４】注射針を露呈させる操作の第１段階における上記プロテクターを示す斜視図である。
【図５】注射針を露呈させる操作の第２段階における上記プロテクターを示す斜視図である。
【図６】使用者が片手の指だけで上記プロテクターを保持して操作する際の操作前の様子を示す斜視図である。
【図７】使用者が片手の指だけで上記プロテクターを保持して操作する際の注射針露呈後の様子を示す斜視図である。
【図８】使用する注射針を露呈させる操作の５つの連続段階を示す斜視図である。
【図９】注射針を抜き取るための操作の初期段階を示す斜視図である。
【符号の説明】
１：帽体
３：注射針
３ａ：注射針先端部
３ｂ：注射針基端部
４ａ，４ｂ：翼片
４ｃ：中央ハブ
５ａ，５ｂ：薄肉部分
５ｃ，５ｄ：ヒンジ部
６：コネクター
【図１】
0004124540.tif 000002
【図２】
0004124540.tif 000003
【図３】
0004124540.tif 000004
【図４】
0004124540.tif 000005
【図５】
0004124540.tif 000006
【図６】
0004124540.tif 000007
【図７】
0004124540.tif 000008
【図８】
0004124540.tif 000009
【図９】
0004124540.tif 000010